(57)【特許請求の範囲】
【請求項１】
加入者に着信するデータコールを設定する方法において、
別のネットワークから、同じアダプタ装置に統合された適応機能を有する２つ以上のデータサービスに対して共通の加入者のＭＳＩＳＤＮ番号へのコールを受け取り；
上記統合されたアダプタ装置からのデータコールにより必要とされる適応リソースを割り当て；
その割り当てられた統合された適応リソースにより他のネットワークから到達するトラフィックチャンネルを監視し；
発呼者により使用されるデータサービスを、そのサービスの特徴である信号、同期又は他の何らかの特徴により識別し；そして
上記統合された適応リソースを、他のネットワークに向かって上記識別されたデータサービスに基づく仕方で動作するように構成する、
という段階を含むことを特徴とする方法。
【請求項２】
トラフィックチャンネルからＶ．１１０同期フレームが受け取られた場合には、発呼者のデータサービスをＣＣＩＴＴ  Ｖ．１１０レート適応プロトコルとして識別し；そして
Ｖ．１１０プロトコルを使用するように上記割り当てられた統合された適応リソースを構成する、
という段階を更に含む請求項１に記載の方法。
【請求項３】
トラフィックチャンネルからＶ．１２０フレームフラグが受け取られた場合には、発呼者のデータサービスをＣＣＩＴＴ  Ｖ．１２０レート適応プロトコルとして識別し；そして
Ｖ．１２０プロトコルを使用するように上記割り当てられた統合された適応リソースを構成する、
という段階を更に含む請求項１に記載の方法。
【請求項４】
モデム又はファクシミリ発呼トーン、デジタルコール指示ビットシーケンス又はフレーム、或いはモデム能力を示すハンドシェークシーケンス又はフレームのうちの１つがトラフィックチャンネルから受け取られた場合に、発呼者のデータサービスをモデム又はファクシミリサービスとして識別する段階を含む請求項１に記載の方法。
【請求項５】
発呼者によって使用されるデータサービスに関する情報を送信する充分な信号サポートを伴わずに発呼者（TE）から別のネットワーク（PSTN,ISDN）を経てコールが到達するときにテレコミュニケーションネットワークの加入者に着信するデータコールを設定する構成体において、
上記テレコミュニケーションネットワークにおいて２つ以上のデータサービスに対してアダプタ装置を統合して、データサービスがＭＳＩＳＤＮ番号を共用するようにし；
上記テレコミュニケーションネットワークは、上記ＭＳＩＳＤＮ番号に対してなされたコールにおいて上記統合されたアダプタ装置から必要なアダプタリソースを割り当てるように構成され；
上記割り当てられたネットワーク適応リソース（IWF）は、別のネットワークから到達するトラフィックチャンネルを監視し、発呼者（TE）により使用されるデータサービスを、そのサービスの特徴である信号、同期又は他の何らかの特徴に基づいて識別し、そしてその識別されたデータサービスに基づき発呼者に向かって動作するようにそれ自体を構成することを特徴とする構成体。
【請求項６】
発呼者（TE）により使用されるデータサービスは、ＣＣＩＴＴ  Ｖ．１１０又はＶ．１２０プロトコルであり、そして上記プロトコルの信号特性は、Ｖ．１１０同期フレーム又は対応的にＶ．１２０フレームフラグを含む請求項５に記載の構成体。
【請求項７】
発呼者（TE）により使用されるデータサービスは、モデムサービス又はファクシミリサービスであり、そして上記プロトコルの信号特性は、モデム又はファクシミリ発呼トーン、デジタルコール指示ビットシーケンス又はフレーム、或いはモデム能力を示すハンドシェークシーケンス又はフレームのうちの少なくとも１つを含む請求項５に記載の構成体。
【請求項８】
上記テレコミュニケーションネットワークは、移動システム、ＷＬＬシステム又は衛星システムである請求項５に記載の構成体。
【請求項９】
発呼者によって使用されるデータサービスに関する情報を送信する充分な信号サポートを伴わずに発呼者から他のネットワークを経てコールが到達するときにネットワークと別のネットワークとの間にプロトコル適応を与えるためのテレコミュニケーションネットワークにおけるインターワーキング機能装置において、
このインターワーキング機能装置は、サービスがＭＳＩＳＤＮ番号を共用するように２つ以上のデータサービスをサポートするための統合された機能を含み、
このインターワーキング機能装置（IWF）は、加入者（MS）に着信するデータコールに対してネットワーク適応リソースを指定するが、データサービスは未指定のままにするように構成され、
このインターワーキング機能装置（IWF）は、他のネットワークから到達するトラフィックチャンネルを監視し、発呼者（TE）によって使用されるデータサービスを、そのサービスの特徴である信号、同期又は他の何らかの特徴に基づいて識別し、そしてその識別されたデータサービスを発呼者（TE）に向かって使用するように上記割り当てられたネットワーク適応リソースを構成することを特徴とするインターワーキング機能装置。
【請求項１０】
発呼者（TE）により使用されるデータサービスは、ＣＣＩＴＴ  Ｖ．１１０又はＶ．１２０プロトコルであり、そして上記プロトコルの信号特性は、Ｖ．１１０同期フレーム又は対応的にＶ．１２０フレームフラグを含む請求項９に記載のインターワーキング機能装置。
【請求項１１】
発呼者（TE）により使用されるデータサービスは、モデムサービス又はファクシミリサービスであり、そして上記プロトコルの信号特性は、モデム又はファクシミリ発呼トーン、デジタルコール指示ビットシーケンス又はフレーム、或いはモデム能力を示すハンドシェークシーケンス又はフレームのうちの少なくとも１つを含む請求項９に記載のインターワーキング機能装置。
【請求項１２】
上記テレコミュニケーションネットワークは、移動システム、ＷＬＬシステム又は衛星システムである請求項９に記載のインターワーキング機能装置。
【発明の詳細な説明】
発明の分野
本発明は、テレコミュニケーションネットワーク、特に移動ネットワーク及びワイヤレスローカルループ（ＷＬＬ）システムにおいてデータサービスを実施することに係る。
先行技術の説明
通常のスピーチサービスに加えて、近代的な移動システムは、加入者に、種々のデータ送信特性、例えば、非同期ベアラサービス又はファクシミリＧ３テレサービスも提供する。
データサービスは、通常、移動ネットワーク内の指定の通信プロトコルを使用する。例えば、ヨーロッパデジタル移動システムＧＳＭ（移動通信用のグローバルシステム）は、ＣＣＩＴＴ  Ｖ．１１０をベースとするＵＤＩコード化レート適応プロトコルと、非透過的サービスのための無線リンクプロトコル（ＲＬＰ）と、ＧＳＭファクシミリプロトコルとを備えている。移動ネットワークから固定ネットワークへのデジタル接続、例えば、サービス統合デジタル網（ＩＳＤＮ）又は公衆交換電話ネットワーク（ＰＳＴＮ）は、移動ネットワーク内のプロトコルとは異なるプロトコルを使用する。これらプロトコルは、例えば、ＩＳＤＮネットワークのＣＣＩＴＴ  Ｖ．１１０及びＶ．１２０レート適応プロトコルや、モデムプロトコル（ＣＣＩＴＴ  Ｖ．２２、Ｖ．２２ｂｉｓ、Ｖ．３２）や、ファクシミリＧ３を含む。
移動システムは、移動ネットワーク内に設定されたデータ接続を、ターミナル装置及び他のテレコミュニケーションネットワークに使用されるプロトコルに適応させるための適応機能を備えている。これらの適応機能は、通常、移動ステーションと、それに接続されたデータターミナル装置との間のインターフェイスに配置されたターミナル適応機能（ＴＡＦ）、及び移動ネットワークと、移動サービス交換センターに通常関連した別のテレコミュニケーションネットワークとの間のインターフェイスに配置されたインターワーキング機能（ＩＷＦ）とを備えている。移動サービス交換センターは、通常、異なるデータサービス及びプロトコルをサポートするための異なる形式のアダプタ装置プール、例えば、モデム及びファクシミリサービスのためのモデム及びファクシミリアダプタを伴うモデムプールや、ＵＤＩ／ＲＤＩレート適応プール等を備えている。図１は、移動サービス交換センター（ＭＳＣ）にＩＷＦアダプタ装置プロトコルを備えたＧＳＭネットワークを示している。
移動ネットワーク内の信号は、通常、データサービス特有のパラメータの送信をサポートする。しかしながら、この信号は、コールがルート指定される全てのネットワークの送信をサポートしない場合がしばしばある。これは、例えば、コールがＰＳＴＮから到達するか又はそれを経てルート指定されるときに起きる。このような場合に、移動ネットワークは、例えば、入呼びが必要とするデータサービス及びアダプタ装置を何らかの他のやり方で結論付けできねばならない。
この問題に対する既知の解決策は、移動加入者が、入呼びの受信を希望するところの種々のサービスを受けるのと同数のＭＳＩＳＤＮ（移動加入者ＩＳＤＮ）番号を有するようなマルチナンバリング機構である。マルチナンバリング機構においては、発呼加入者が、希望するサービスに対応する移動加入者のＭＳＩＳＤＮ番号の１つをダイヤルする。ＧＳＭシステムでは、加入者のサービスは、他の加入者データも永久的に記憶する加入者のホーム位置レジスタ（ＨＬＲ）において決定される。又、ＨＬＲは、ＭＳＩＳＤＮ番号と加入者のサービスとの間の対応性に関する情報も記憶する。又、ＨＬＲは、コールの形式と、コールに必要とされるベアラサービス及びプロトコルとを指示するＢＣＩＥ（ベアラ能力情報エレメント）を各ＭＳＩＳＤＮ番号に指定する。ＩＷＦは、このデータに基づいて構成することができる。現在のＧＳＭ推奨勧告（ＧＳＭ  ＴＳ  ０９．０７）によれば、加入者は、各サービスごとに専用のＭＳＩＳＤＮ番号を有している。例えば、加入者は、スピーチサービス、非同期の３．１ｋＨｚベアラサービス（モデム）、非同期のＵＤＩベアラサービス、及びファクシミリＧ３テレサービスを受けることができ、これは、加入者が４つのＭＳＩＳＤＮ番号を必要とすることを意味する。複数のＭＳＩＳＤＮ番号は、ユーザ及びネットワークオペレータの両方にとって問題である。
固定ネットワークのターミナル装置が、加入者ケーブルではなくて無線接続を経てネットワークに接続されるようなネットワークは、ワイヤレスローカルループ（ＷＬＬ）ネットワーク又は無線ローカルループ（ＲＬＬ）ネットワークと称される。このＷＬＬは、ＧＳＭのような移動ネットワークをベースとすることができる。ＧＳＭをベースとするＷＬＬシステムを実施できる構成は、多数ある。図２は、ＧＳＭネットワークがこのように使用される構成を示す。通常の移動ステーション（ＭＳ）ではなく、ターミナル装置は、加入者の施設に固定の加入者ベースステーション２２を備えていると共に、加入者のベースステーション２２に接続されたＰＳＴＮ電話２１を備えている。次いで、図３は、ＧＳＭネットワークのベースステーションコントローラ（ＢＳＣ）、ＭＳＣ、ＨＬＲ及びビジター位置レジスタＶＬＲが、ＷＬＬ特有のネットワークエレメント即ちＷＬＬアクセスノードに置き換えられた構成を示している。このＷＬＬアクセスノードは、例えば、次の機能、即ちトランスコード化、エコー打消、位置レジスタ（ＶＬＲ及びＨＬＲ）の基本的機能、及びデータサービスのための適応機能（ＩＷＦ）を含むことができる。各々の場合に、データサービスがサポートされる場合には、ネットワーク側（ＭＳＣ又はＷＬＬアクセスノード）にＩＷＦが必要とされる。
このような多数のサービス及びプロトコルは、ネットワークオペレータ及びユーザにとって問題を生じる。移動加入者は、異なるプロトコルを必要とするコールを発したり受けたりできるためには、ネットワークオペレータから多数のネットワークサービスをオーダーしなければならない。オペレータにとって、ネットワークのナンバリングスペースを使用する複数のＭＳＩＳＤＮ番号を各加入者が必要とすることは問題である。又、ネットワークのデータベースにおけるサービスの定義がデータベースの容量を浪費する。
発明の要旨
本発明の目的は、テレコミュニケーションシステムにおいて種々のデータサービスを使用する加入者に必要とされるＭＳＩＳＤＮ番号を減少することである。
本発明は、加入者に着信するデータコールを設定する方法に係る。本発明は、別のネットワークから、同じアダプタ装置に統合された適応機能を有する２つ以上のデータサービスに共通の加入者のＭＳＩＳＤＮ番号へのコールを受け取り；上記統合されたアダプタ装置からデータコールにより必要とされる適応リソースを割り当て；その割り当てられた統合された適応リソースにより他のネットワークから到達するトラフィックチャンネルを監視し；発呼者により使用されるデータサービスを、そのサービスの特徴である信号、同期又は他の何らかの特徴により識別し；そして上記統合された適応リソースを、他のネットワークに向かって上記識別されたデータサービスに基づく仕方で動作するように構成する、という段階を含むことを特徴とする。
又、本発明は、請求項５に記載の構成体、及び請求項９に記載のアダプタ装置にも係る。
本発明において、異なるデータサービスに対する異なるアダプタ装置は、ネットワーク側において、全てのデータサービスが１つのＭＳＩＳＤＮ番号を共用するような単一のプールに統合される。統合されたプールは、そのプールに属する全てのデータサービスのプロトコル及び機能をサポートする。この統合されたプールのＭＳＩＳＤＮ番号に着信コールがなされたときには、そのプールがラインに接続される。このＭＳＩＳＤＮ番号に関連したサービス仕様においておそらく与えられそして例えばコール設定中に交換センターから得られるプロトコル又はサービス定義は、それらがプール内のデータサービス間の区別に関連する場合には考慮されない。換言すれば、統合されたプールは、発呼加入者に向かうデータサービスのいずれか１つに基づいて動作するよう試みるのではなく、ターミナル装置により使用されるデータサービス及びプロトコルを識別するために到来トラフィックチャンネルを監視する。データサービスの識別は、サービスの特徴である同期又は信号を検出することに基づく。統合されたプールは、発呼者のデータサービスを識別した後に、その識別されたデータサービスにより要求される仕方で動作を開始する。
データサービスの機能特徴を用いて、サービスを識別することができる。例えば、非同期の３．１ｋＨｚベアラサービス（モデムサービス）は、モデムの発呼トーン（１３００Ｈｚ）、モデムのコール又は応答、或いはモデムの特徴を示すデジタルビットシーケンス又はフレームに基づいて識別することができる。ファクシミリＧ３テレサービスは、例えば、発呼トーン（１１００Ｈｚ）、モデムのコール又は応答、或いはモデムの特徴を示すデジタルビットシーケンス又はフレームに基づいて識別することができる。非同期のＵＤＩ／ＲＤＩベアラサービスは、少なくともデジタル同期パターンにより識別することができる。例えば、ＣＣＩＴＴ  Ｖ．１１０プロトコルは、Ｖ．１１０同期フレームにより識別することができる。ＣＣＩＴＴ  Ｖ．１２０プロトコルは、Ｖ．１２０フレームフラグにより識別することができ、そして識別は、リンク設定メッセージにより確認することもできる。
又、１つのアダプタ装置プールにおいてはデータサービスの部分的統合のみを実施することができる。例えば、非同期の３．１ｋＨｚベアラサービス及びファクシミリＧ３テレサービスのみが、同じアダプタ装置プールに統合された場合には、これら２つのデータサービスがＭＳＩＳＤＮ番号を共用するが、ＵＤＩ／ＲＤＩサービスは、それ自身のＭＳＩＳＤＮ番号を有する。
本発明は、異なるデータサービスを使用するときにユーザにより必要とされるＭＳＩＳＤＮ番号を減少する。少なくとも、加入者は、データサービスに対し、１つのＭＳＩＳＤＮ番号しか必要としない。これは、加入者及びネットワークオペレータに対し複数の番号により生じる問題を解消する。
【図面の簡単な説明】
以下、添付図面を参照し、本発明の好ましい実施形態を詳細に説明する。
図１は、ＧＳＭ移動システムを示す図である。
図２は、ＧＳＭネットワークに基づくＷＬＬシステムを示す図である。
図３は、ＧＳＭ無線ネットワークに基づくＷＬＬシステムを示す図である。
図４、５及び６は、ＧＳＭシステムにおいて、透過的及び非透過的ＧＳＭベアラサービスと、透過的ファクシミリＧ３サービスとに必要とされるプロトコル及び機能を示す図である。
図７は、ＭＳＣに関連して配置された本発明による統合されたアダプタ装置を示す図である。
図８は、統合されたチャンネルコントローラのブロック図である。
図９Ａ及び９Ｂは、本発明によるデータコールを示す信号チャートである。
好ましい実施形態の詳細な説明
本発明は、データサービスがＩＳＤＮ又はＰＳＴＮのような固定ネットワークに向かい２つ以上の異なる通信プロトコルを使用する移動通信システムのような全てのテレコミュニケーションシステムに使用することができる。多数の移動ユーザとの通信を容易にする多数の多重アクセス変調技術が存在する。これら技術は、時分割多重アクセス（ＴＤＭＡ）と、コード分割多重アクセス（ＣＤＭＡ）と、周波数分割多重アクセス（ＦＤＭＡ）とを含む。トラフィックチャンネルの物理的な概念は、異なる多重アクセス方法において相違し、これは、主として、ＴＤＭＡシステムではタイムスロット、ＣＤＭＡシステムでは拡散コード、ＦＤＭＡシステムでは無線チャンネル、或いはその組合せ等々によって定められる。しかしながら、本発明の基本的な考え方は、トラフィックチャンネルの形式及び使用する多重アクセス方法とは独立している。
本発明は、パン・ヨーロピアンデジタル移動システムＧＳＭ（移動通信用のグローバルシステム）及び他のＧＳＭをベースとするシステム、例えば、ＤＣＳ１８００（デジタル通信システム）及びＵＳデジタルセルラーシステムＰＣＳ（パーソナル通信システム）や、上記システムをベースとするＷＬＬシステムにおいてデータ送信の用途に特に適している。本発明は、ＧＳＭ移動システムを一例として使用して以下に説明する。ＧＳＭシステムの構造及び動作は、当業者に良く知られており、そしてＥＴＳＩ（ヨーロピアン・テレコミュニケーションズ・スタンダーズ・インスティテュート）のＧＳＭ仕様書に規定されている。又、「移動通信用のＧＳＭシステム（GSM System for Mobile Communication）」、Ｍ．モーリ及びＭ．ポーテット、パライゼウ、フランス、１９９２年：ＩＳＢＮ：２−９５０７１９０−０−７も参照されたい。
ＧＳＭシステムの基本的構造が図１に示されている。ＧＳＭ構造体は、２つの部分、即ちベースステーションシステム（ＢＳＳ）及びネットワークサブシステム（ＮＳＳ）より成る。ＢＳＳ及びＭＳは、無線接続を経て通信する。ＢＳＳにおいて、各セルは、ベースステーション（ＢＴＳ）によりサービスされる。多数のＢＴＳがＢＳＣに接続され、その機能は、ＢＴＳにより使用される無線周波数及びチャンネルを制御することである。ＢＳＣは、ＭＳＣに接続される。幾つかのＭＳＣがＰＳＴＮのような他のテレコミュニケーションネットワークに接続され、それらは、これらネットワークに着信し及びそこから発信するコールに対するゲートウェイ機能を備えている。これらＭＳＣは、ゲートウェイＭＳＣ（ＧＭＳＣ）として知られている。
コールのルート指定に関連したデータベースには２つの基本的な形式がある。全てのネットワーク加入者の加入者データを永久的又は半永久的に記憶するホーム位置レジスタ（ＨＬＲ）があり、加入者データは、加入者がアクセスするサービスに関する情報、及び加入者の現在位置に関する情報を含む。別の形式のレジスタは、ビジター位置レジスタ（ＶＬＲ）であり、これは、通常は、１つのＭＳＣに接続されるが、多数のＭＳＣにサービスすることができる。ＶＬＲがＭＳＣに統合されることは、一般的である。この統合されたネットワークエレメントはビジターＭＳＣ（ＶＭＳＣ）として知られている。ＭＳがアクティブである（登録されそしてコールを発したり受けたりできる）ときには、ＨＬＲに記憶されたＭＳに関する移動加入者データの大部分が、ＭＳが位置するエリアのＭＳＣのＶＬＲにコピーされる。
更に図１を参照すれば、ＧＳＭシステムにおいて、ＭＳのターミナル適応機能（ＴＡＦ）３１と、移動ネットワークに位置するインターワーキング機能（ＩＷＦ）４１との間にデータ接続が設定される。ＧＳＭシステムのデータ送信において、この接続は、Ｖ．２４インターフェイスに適応されたＶ．１１０レート適応のＵＤＩコード化デジタル全二重接続である。この点について、Ｖ．１１０接続は、ＩＳＤＮ技術のために最初に開発されたデジタル送信チャンネルで、Ｖ．２４インターフェイスに適応され、そしてＶ．２４状態（制御信号）を送信することもできる。Ｖ．１１０レート適応接続に対するＣＣＩＴＴ推奨勧告は、ＣＣＩＴＴブルーブック：Ｖ．１１０に規定されている。Ｖ．２４インターフェイスに対するＣＣＩＴＴ推奨勧告は、ＣＣＩＴＴブルーブック：Ｖ．２４に規定されている。非透過的データサービスにおいて、ＧＳＭ接続は、無線リンクプロトコル（ＲＬＰ）も使用する。ＴＡＦは、ＭＳに接続されたデータターミナル装置（ＤＴＥ）を、１つ又は多数のトラフィックチャンネルを使用する物理的接続に対して設定された上記のＧＳＭ  Ｖ．１１０接続に適応させる。ＩＷＦは、ＧＳＭ  Ｖ．１１０データ接続を、ＩＳＤＮのような別のＶ．１１０又はＶ．１２０ネットワーク、又は別のＧＳＭネットワーク、或いはＰＳＴＮのような他の何らかのトランシットネットワークにインターフェイスする。Ｖ．１２０レート適応接続に対するＣＣＩＴＴ推奨勧告は、ＣＣＩＴＴホワイトブック：Ｖ．１２０に規定されている。
上記のように、近代的な移動システムは、種々のテレサービス及びベアラサービスをサポートする。ＧＳＭシステムのベアラサービスは、ＧＳＭ仕様書０２．０２、バージョン５．０．１において決定され、そしてテレサービスは、ＧＳＭ仕様書０２．０３、バージョン５．０．１において規定されている。
図４、５及び６は、透過的ベアラサービス、非透過的ベアラサービス及び対応的に透過的ファクシミリＧ３サービスに対してＩＷＦ（ＭＳＣか又はＷＬＬ特有のネットワークエレメントかのいずれかにおける）に必要とされるプロトコル及び機能を例示している。ＧＳＭトラフィックチャンネルにおけるＴＡＦとＩＷＦとの間の非透過的な回路交換接続は、これら全てのサービスに共通な多数のプロトコルレイヤを備えている。それらは、異なるレート適応機能（ＲＡ）、例えばＢＳＳに配置されたチャンネルコードユニット（ＣＣＵ）とＴＡＦとの間のＲＡ１’、ＣＣＵとＩＷＦとの間のＲＡ１、ベースステーションから離れて配置されたトランスコーダユニット（ＴＲＡＵ）とＣＣＵとの間のＲＡＡ、そしてＴＲＡＵとＩＷＦとの間のＲＡ２を含む。ＲＡ機能は、ＧＳＭ推奨勧告０４．２１及び０８．２０に規定されている。ＣＣＵとＴＲＡＵとの間の通信は、ＧＳＭ推奨勧告０８．６０に規定されている。無線インターフェイスにおいては、ＲＡ１’レート適応情報も、ＧＳＭ推奨勧告５．０３に規定されたようにチャンネルコード化され、これは、ＭＳ及びＣＣＵにおいてブロックＦＥＣで示されている。又、ＩＷＦ及びＴＡＦは、各サービスに特有の高レベルプロトコルも備えている。図４に示す非同期の透過的ベアラサービスにおいて、ＩＷＦは、非同期−同期変換ＲＡ０と、固定ネットワークに向かうモデムとを必要とする。図５に示す非同期の非透過的ベアラサービスにおいては、ＩＷＦは、Ｌ２Ｒ（レイヤ２リレー）及びＲＬＰプロトコルと、固定ネットワークに向かうモデムとを必要とする。非透過的特性指向のプロトコルのためのＬ２Ｒ機能は、例えば、ＧＳＭ推奨勧告０７．０２に規定されている。ＲＬＰプロトコルは、ＧＳＭ推奨勧告０４．２２に規定されている。ＲＬＰは、フレーム構造のバランス型（ＨＤＬＣ型）データ送信プロトコルで、受信者の要求において歪んだフレームの再送信時にエラー修正を行うものである。ＩＷＦと、例えば、音声モデムＭＯＤＥＭとの間のインターフェイスは、ＣＣＩＴＴ  Ｖ．２４に基づくものであり、図５にＬ２で示されている。図６において、ＩＷＦは、ＧＳＭファクシミリプロトコル機能及びモデムを必要とする。ＧＳＭファクシミリサービスは、ＧＳＭ推奨勧告０３．４５に規定されている。
上記のように、加入者は、従来、各データサービスごとにマルチナンバリング機構に基づき個別のＭＳＩＳＤＮ番号及びアダプタ装置を有していた。
本発明によれば、異なるデータサービスの異なるアダプタ装置がネットワーク側において単一のプールに統合され、全てのデータサービスが１つのＭＳＩＳＤＮ番号を共用するようにされる。図７は、ＭＳＣに関連して配置された本発明による統合されたアダプタ装置即ちプール４１を示す。このプール４１は、１つ又は多数のチャンネルコントローラ４００を備えている。各チャンネルコントローラ４００は、コントローラがサポートしなければならない全ての統合適応機能を含む。例えば、チャンネルコントローラは、固定ネットワークのＵＤＩ／ＲＤＩプロトコル（ＩＴＵ−Ｔ  Ｖ．１１０及び／又はＩＴＵ−Ｔ  Ｖ．１２０）、３．１ｋＨｚモデム機能、ファクシミリＧ３機能、及びＰＣＭコーデック機能（ＰＣＭコード／デコード）をサポートする。チャンネルコントローラ４００は、図７の場合のように各トラフィックチャンネルごとに特有であってもよいし、又はトラフィックチャンネルのグループ、例えば、２Ｍビット／ｓのＰＣＭリンクの全てのトラフィックチャンネルに対して共通であってもよい。ＩＷＦプール４１の各チャンネルコントローラ４００は、ＭＳＣのグループスイッチＧＳＷ２１と並列に接続される。又、グループスイッチ２１には、交換ターミナル（ＴＥ）を経て、ＢＳＳに送られるデジタル送信リンク２２も接続される。更に、グループスイッチ２１には、ＴＥを経て、ＩＳＤＮ又はＰＳＴＮのような他のテレコミュニケーションネットワークの送信チャンネル２３も接続される。グループスイッチＧＳＷ２１、ＩＷＦ、並びにデータコールの設定、維持及び解除は、コールコントローラ４３により制御される。ＩＷＦの動作は、ＩＷＦコントローラ４４により制御され、これは、コールコントローラ４３の監視のもとで、空きチャンネルコントローラ４００を選択し、そしてこれをデータコールの目的でデータ接続に接続する。又、ＩＷＦコントローラは、各ＩＷＦプールごとに１つのプールコントローラを備えてもよい。本発明によるアダプタ装置を適用できる移動サービス交換センターの例は、ノキア・テレコミュニケーションズのＤＸ２００ＭＳＣである。
図８は、図４、５及び６に示す適応機能を１つのチャンネルコントローラ４００に統合する例を示す一般的ブロック図である。この例において、ＧＳＭトラフィックチャンネル及びモデムに向いたＲＡ１及びＲＡ２レート適応８１及び８２と、ＩＳＤＮ／ＰＳＴＮ送信チャンネルに向いたＰＣＭコーデック機能８３及びＩＳＤＮプロトコルは、全てのデータサービスに共通である。異なるデータサービスの特殊な機能は、個別の岐路として上記機能間に接続され、そしてセレクタスイッチＳ１、Ｓ２、Ｓ３及びＳ４により各データサービスごとに適当な１つを選択することができる。図８においては、Ｌ２Ｒ／ＲＬＰ機能８４は、非同期の非透過的データサービスに対して選択することができ、ＲＡ０機能は、透過的な非同期のデータサービスに対して選択することができ、そしてＧＳＭファクシミリアダプタ機能８６は、Ｇ３ファクシミリサービスに対して選択することができる。発呼トーン及び２進パターン検出器８０は、ＩＳＤＮ／ＰＳＴＮトラフィックチャンネルを監視し、そしてサービスの発呼者により使用されるデータサービスに典型的な信号、同期又は他の特性を検出する。検出器８０は、データサービスを識別すると、スイッチＳ１及びＳ２を制御してそれに対応する機能８４、８５又は８６を選択すると共に、スイッチＳ３及びＳ４を制御してモデム又はＲＤＩ／ＵＤＩ機能を選択し、そしてデータサービスにより必要とされる仕方で固定ネットワークに向かって動作するようにチャンネルコントローラ４００に指令する。
特定の用途においては、チャンネルコントローラ４００を、テキサスインスツルーメント社のＣ５４１ＤＳＰのような１つの信号プロセッサで実施できることに注意されたい。それ故、本発明によるチャンネルコントローラ４００又はＩＷＦプール４１の詳細な実施は、ある用途から別の用途へほとんど制約を伴わずに変化し得る。本発明にとって重要な１つのファクタは、統合されたＩＷＦが２つ以上のデータサービスを識別しそしてサポートすることである。
以下、本発明による統合されたアダプタの動作及びそれに関連するデータコールの設定について説明する。
本発明によれば、共通のＩＷＦプール４１に統合された全てのデータサービスは、ＭＳＩＳＤＮ番号を共用する。このＭＳＩＳＤＮ番号に関連したサービスの定義は、他の加入者データと共にＨＬＲに記憶される。このサービス定義において、各ＭＳＩＳＤＮ番号にはＧＳＭ  ＢＣＩＥが指定され、ＩＴＣ（情報転送能力）、ＲＡ（レート適応）及びモデム形式のようなデータサービスを通常定義するコール設定パラメータは、非特定値又はそのように解釈される値として定義することができる。本発明において、非特定のコール設定パラメータとは、一般的に、ＩＷＦに対するプロトコルを定義するものでなく、トラフィックチャンネルから固定ネットワークのターミナル装置のプロトコルを識別するよう試みるようにＩＷＦを導く値を指す。本発明の好ましい実施形態では、ＩＷＦは、これらのコール設定パラメータがデータサービスを互いに区別することに関連する場合にはそれらパラメータを無視する。
以下、本発明によるＭＴコールの確立を、図を参照して説明する。この例においては、統合されたデータサービスは、３．１ｋＨｚモデムサービス、ファクシミリサービス又はＵＤＩ／ＲＤＩデータサービスを含む。しかしながら、本発明は、これらサービスに限定されるものではなく、全てのサービスに一般的に適用できることに注意されたい。
図９Ａ及び９Ｂの信号チャートは、移動着信（ＭＴ）データコールが、固定ネットワークのターミナル装置（ＴＥ）から、加入者の統合されたデータサービスに共通の移動加入者のＭＳＩＳＤＮ番号へと発せられる場合の例を示す。このような場合に、コールは、ＩＳＤＮ／ＰＳＴＮネットワークから移動ネットワークに到達するが、移動ネットワークとＴＥとの間の全接続にわたりプロトコル情報の送信に対する信号サポートが存在しない。
移動加入者サービスの共通のＭＳＩＳＤＮ番号にアドレスされるコールは、ＩＳＤＮネットワークから移動ネットワークのＧＭＳＣへ「初期アドレスメッセージ」（ＩＡＭ）の形態で到達する。ＧＭＳＣは、ルート情報要求「ルート情報送信」を、被呼ＭＳＩＳＤＮによって決定された加入者ＨＬＲへ搬送する。このルート情報要求は、加入者のＭＳＩＳＤＮ番号も含む。ＨＬＲは、加入者データから、被呼ＭＳＩＳＤＮ番号に指定されたＧＳＭ  ＢＣＩＥを検索する。このＧＳＭ  ＢＣＩＥにおいて、パラメータＩＴＣ、ＲＡ及びモデム形式は、例えば、非特定の値を有する。次いで、ＨＬＲは、上記ＧＳＭ  ＢＣＩＥを含むローミング番号要求「ＭＳＲＮ供給」をＶＬＲに送信する。ＶＬＲは、ＧＳＭ  ＢＣＩＥを記憶し、ローミング番号ＭＳＲＮをコールに割り当てる。ＭＳＲＮは、ＨＬＲに送信され、ＨＬＲはこれをＧＭＳＣへ転送する。ＧＭＳＣは、コールをＭＳＲＮに基づいて、ＭＳが位置するエリアのＭＳＣにルート指定する。次いで、ＭＳＣは、ＶＬＲ情報からＭＳＲＮに基づいて将来のコールの設定を要求する。ＶＬＲは、ＭＳＲＮにより、ＨＬＲから既に受け取ったＢＣＩＥを検索し、そしてそれをＭＳＣに送信する。ＢＣＩＥが完全なサービス定義を含む場合は、ＭＳＣは、非特定のサービスを指示するようにＢＣＩＥのパラメータを変更する。その後、ＭＳＣは、ＧＳＭ  ＢＣＩＥも含むコール設定メッセージ「設定」をＭＳに送信する。ＭＳは、「コール確認メッセージ」で応答する。その後、ＭＳＣは、要求された無線チャンネルを「指定要求」メッセージで指定するようにＢＳＳに要求し、そしてＢＳＳは、「指定完了」メッセージで確認する。その後、ＭＳＣは、ＧＳＭ  ＢＣＩＥも含む「ＩＷＦ設定」メッセージをＩＷＦに送信することにより、要求された統合されたＩＷＦリソースを指定する。この点において、ＩＷＦは、本発明による仕方で動作を開始する。
ＩＷＦコントローラ４４は、ＢＣＩＥを含む「設定」メッセージをＭＳＣのコールコントローラ４３から受け取る。ＩＷＦコントローラ４４は、ＢＣＩＥを分析し、そして統合されたＩＷＦリソースがデータコールに割り当てられているので、データサービスを区別する考えられるパラメータを無視する。換言すれば、ＩＷＦコントローラ４４は、あるデータサービスについてはデータコールに指定されたチャンネルコントローラ４００（又はＨＳＣＳＤコールの場合には複数のチャンネルコントローラ）を構成しないが、チャンネルコントローラ４００は、固定ネットワークから到達するトラフィックチャンネルを監視するように準備する。ＩＷＦは、リソースの割り当てを「確認」メッセージで確認する。ＭＳは、被呼加入者が警告されることを「警告」メッセージで通知する。次いで、ＭＳＣは、固定ネットワークの発呼ＴＥに、接続が設定されたことを示す「アドレス完了」メッセージを送信する。次いで、ＭＳは、被呼加入者がコールを受け入れることを示す「接続」メッセージを送信し、その後、ＭＳＣは、「返答信号」メッセージを発呼ＴＥに送信する。次いで、ＭＳＣは、「装置オンライン」メッセージでＩＷＦを案内する。次いで、ＩＷＦは、本発明による方法で再び動作を開始する。
ＩＷＦコントローラ４４は、ＭＳＣのコールコントローラ４３から「装置オンライン」メッセージを受け取り、そしてその結果、統合されたプール４１のチャンネルコントローラ４００を、ＢＳＳから到達するトラフィックチャンネルと、ＰＳＴＮから到達するトラフィックチャンネルとの間でグループスイッチＧＳＷ２１に接続する。
チャンネルコントローラ４００がラインに接続された後に、コントローラ（例えば、検出器８０）は、固定ネットワークから到達するトラフィックチャンネルを監視し始める。換言すれば、チャンネルコントローラ４００は、固定ネットワークから受け取られた信号又は同期が、チャンネルコントローラ４００によりサポートされるデータサービスの特徴を含んでいるかどうかチェックする。この例では、チャンネルコントローラ４００は、先ず、ＩＳＤＮ／ＰＡＴＮから到達する信号が、Ｖ．１２０プロトコルの特徴であるフレームフラグ、即ちＨＤＬＣフラグ０１１１１１１０を含むかどうかチェックする。もしそうであれば、チャンネルコントローラ４００は、Ｖ．１２０プロトコルを使用するように構成され、そしてＶ．１２０プロトコルで要求された仕方で固定ネットワークに向かって動作を開始する。その後、ＩＷＦは、通常のトラフィックチャンネルの状態をＭＳに知らせ、そしてデータ送信が開始される。
チャンネルコントローラ４００は、遅くとも固定ネットワークサービスが識別された後にＴＡＦとＩＷＦとの間のＧＳＭトラフィックチャンネルの同期を開始する。
Ｖ．１２０プロトコルが上記の段階で識別されない場合には、チャンネルコントローラ４００は、固定ネットワークから到達する信号がＶ．１１０同期フレームを含むかどうかチェックする。Ｖ．１１０同期フレームが受け取られた場合には、チャンネルコントローラ４００は、Ｖ．１１０プロトコルを使用するように構成され、そしてＶ．１１０プロトコルに基づいてＩＳＤＮ／ＰＳＴＮに向かって動作を開始する。その後、ＩＷＦは、Ｖ．１１０プロトコルに基づいてＴＥに向かって動作を再開し、Ｖ．２４状態を使用する通常の仕方でＭＳにトラフィックチャンネル状態を知らせる。
Ｖ．１１０プロトコルが識別されない場合は、チャンネルコントローラ４００は、モデムの発呼トーン（１３００Ｈｚ）又はデジタルコール指示ビットシーケンスがＰＳＴＮ／ＩＳＤＮから受け取られたかどうかチェックする。もしそうであれば、チャンネルコントローラ４００は、モデムサービスをサポートするように構成され、そしてモデムサービスに基づきＩＳＤＮ／ＰＳＴＮに向かって動作を開始する。これは、例えば、応答トーン、デジタル応答ビットシーケンス又はフレームが送信され、そして標準的なモデムハンドシェーク手順が使用されて、モデム接続を生じることを意味する。ＩＷＦは、Ｖ．１１０プロトコルに基づきＴＥに向かって再び動作を続け、そしてＶ．２４状態を用いる通常の仕方でＭＳにトラフィックチャンネル状態を知らせる。
モデム発呼トーンが確認されない場合は、チャンネルコントローラ４００は、ファクシミリＧ３発呼トーン（１１００Ｈｚ）又はデジタルコール指示ビットシーケンスがＰＳＴＮ／ＩＳＤＮから受け取られたかどうかチェックする。もしそうであれば、チャンネルコントローラ４００は、ファクシミリサービスをサポートするように構成され、そしてこのサービスに基づきＩＳＤＮ／ＰＳＴＮに向かって動作を開始する。これは、例えば、応答トーン、デジタル応答ビットシーケンス又はフレームが送信され、そして標準的なファクシミリＧ３ハンドシェーク手順が使用されて、ＩＴＵ−Ｔ  Ｔ．３０に基づくファクシミリＧ３接続を生じることを意味する。ＩＷＦは、Ｖ．１１０プロトコルに基づきＴＥに向かって再び動作を続け、そしてＶ．２４状態を使用することにより通常の仕方でＭＳにトラフィックチャンネル状態を知らせ、ＧＳＭファクシミリプロトコルに基づいて動作を開始する。
チャンネルコントローラ４００によりサポートされるデータサービスが識別されない場合には、そのコールは欠陥であると考えられ、従って、解除されるか、又は選択されたプロトコルに基づいてトラフィックチャンネルを同期するための努力がなされる。
ＩＷＦは、異なるプロトコルの識別を順次に又は同時に行うことができる。
データサービスの部分的な統合も考えられる。例えば、モデムサービス及びファクシミリＧ３機能のみが統合される場合には、これらのデータサービスがＭＳＩＳＤＮ番号を共用するが、例えば、ＵＤＩ／ＲＤＩサービスは、それら自身の番号を有する。この場合、統合されたプール４１のチャンネルコントローラは、モデム発呼トーン（１３００Ｈｚ）及びファクシミリＧ３発呼トーン（１１００Ｈｚ）、或いは対応的にコール識別ビットシーケンス又はフレームしか検出できない。
本発明は、移動システムに適用して説明した。又、本発明は、図２及び３に示したＷＬＬシステムにも適用できる。本発明による統合されたＩＷＦプールは、移動サービス交換センターに関連して上記したのと実質的に同様にＷＬＬアクセスノードとして動作する交換センターにおいて実施することができる。又、本発明は、衛星システムにも同様に適用できる。
又、本発明は、同じデータ接続に対して多数の並列なトラフィックチャンネルが無線インターフェイスに使用されるような高速回路交換データ（ＨＳＣＳＤ）送信にも当然適用できる。このような場合には、ＰＳＴＮ／ＩＳＤＮに向かって１つの高速トラフィックチャンネルがあり、そしてそのチャンネルのデータサービスは、上記のように識別される。
添付図面及びそれを参照した上記の説明は、単に本発明を例示するものに過ぎない。本発明は、請求の範囲に規定された本発明の精神及び範囲内でその細部を種々変更できる。
【図１】
0004000383.tif 000002
【図２】
0004000383.tif 000003
【図３】
0004000383.tif 000004
【図４】
0004000383.tif 000005
【図５】
0004000383.tif 000006
【図６】
0004000383.tif 000007
【図７】
0004000383.tif 000008
【図８】
0004000383.tif 000009
【図９Ａ】
0004000383.tif 000010
【図９Ｂ】
0004000383.tif 000011